(57)【特許請求の範囲】
【請求項１】
前端部と後端部とを有し、水平線に沿って延びるほぼ一様な太さの棒状体と、前記両端部近傍のそれぞれに形成され、フックとラインを取り付け可能な貫通穴とを備えるルアーにおいて、
前記両端部には前記水平線に対して所定の角度を成して傾く互いに平行な傾斜面が形成され、
前記棒状体には前記水平線上において前記棒状体の全長を二等分する中心点から前記両端部のうちの一方に偏位した部位に前記水平線に対する垂直方向へ向かって延びる突起部が形成されていることを特徴とするルアー。
【請求項２】
前記棒状体の前記各傾斜面が、前記水平線に対して２０〜７０度の角度で形成されている請求項１に記載のルアー。
【請求項３】
前記貫通穴が前記傾斜面に形成されている請求項１又は２に記載のルアー。
【請求項４】
前記突起部が前記棒状体の材料より比重の大きい材料で形成されている請求項１〜３のいずれかに記載のルアー。
【発明の詳細な説明】
【０００１】
【発明の属する技術分野】
本発明はルアーに関し、更に詳細には棒状体を主要な構成要素とし、水中で微小な振れを起こすことにより例えば管理釣り場などでの使用に適する棒状のルアーに関する。
【０００２】
【従来の技術】
近年、管理釣り場においてニジマス、ヤマメ、イワナなどの釣りを楽しむ人が増えている。従来、これらの魚も含めて多くの種類の魚に対応したルアーが開発されており、代表的には、スピナー、スプーン、プラグなどが知られている。これらのルアーは、対象魚が興味を示すような形状や色彩を主たる要素にして形成されたものである。
【０００３】
例えば、ニジマスを釣る場合には、ブレードや胴の部分に赤色が少し入っているスピナーが使用されるように、従来のルアーでは、これを魚が水中で見ると小魚などと見間違える形状や色彩で形成されていた。他方、魚が水中で小魚などと見間違えるような動きをするルアーとしてスプーンが知られている。このスプーンは、その独特の構造や形状によって水中で振りを起こさせて魚に興味を引かせ、これを追いかけさせるようにするものである。
【０００４】
【発明が解決しようとする課題】
このようなことから、小さくて軽量であっても、管理釣り場のような水勢の弱い場所で微小な動きを連続して起し、ニジマス、ヤマメ、イワナなどに興味を引かせることができ、同時に大きなサイズの魚を対象とする場合でも、同様に微小な動きを連続して起こして興味を引かせることができるようなルアーの提供が望まれていた。
【０００５】
本発明の目的は、かかる従来の要望に応えるためになされたもので、水勢の弱い例えば管理釣り場などでも水中で微小な動きを連続して起こさせて対象魚に興味を引かせるルアーを提供することにある。
【０００６】
【課題を解決するための手段】
本発明のルアーは、前述した技術的課題を解決するために以下のように構成されている。すなわち、本発明は、前端部と後端部とを有し、水平線に沿って延びるほぼ一様な太さの棒状体と、両端部近傍のそれぞれに形成され、フックとラインを取り付け可能な貫通穴とを備えるルアーにおいて、両端部には水平線に対して所定の角度を成して傾く互いに平行な傾斜面が形成され、棒状体には水平線上において棒状体の全長を二等分する中心点から両端部のうちの一方に偏位した部位に水平線に対する垂直方向へ向かって延びる突起部が形成されていることを特徴とする。
【０００７】
このルアーをキャストして水中に沈めると、棒状体の周面から突出した突起部を下にして棒状体がほぼ水平になり、ラインを引くと、この突起部を支点として棒状体の両端部が激しく且つ細かく振れ、これにより魚が水生生物と見間違えて食い付く。
【０００８】
本発明のルアーは、前述した特徴に加えて更に以下のような特徴も備える。すなわち、本発明のルアーでは、棒状体の各傾斜面が、水平線に対して２０〜７０度の角度で形成されていることを特徴とする。このように棒状体の各傾斜面の傾斜角度を変えることで、水中でのルアーの動きに様々な変化を出すことができる。また、本発明のルアーでは、貫通穴を傾斜面に形成することが好ましい。更に、本発明のルアーでは、突起部を棒状体の材料より比重の大きい材料で形成することが好ましい。
【０００９】
【発明の実施の形態】
以下、本発明のルアーを図示の実施形態について更に詳細に説明する。図１〜図３には本発明の一実施形態に係るルアー１０が示されている。図１はルアー１０の斜視図、図２はルアー１０の下面図、図３は水平に延びるルアー１０の両端部を部分的に破断して示す側面図である。
【００１０】
このルアー１０は、前端部（図１〜図３で見て左側の端部）と後端部とを有し、水平線に沿って延びるほぼ一様な太さで、断面円形の棒状体１１を備えている。この棒状体１１の両端部における端面は、この棒状体１１が延びる水平線に沿い、かつ棒状体１１の断面中心点を通る中心線１１ａに対して傾斜する傾斜面１２ａ、１２ｂとされ、これらの各傾斜面１２ａ、１２ｂは互いに平行に形成されている。
【００１１】
この傾斜面１２ａ、１２ｂの傾斜角度θ（図３参照）は中心線１１ａに対して２０〜７０度の角度で形成されていることが好ましく、より好ましくは約３５度である。棒状体１１の両傾斜面１２ａ、１２ｂがこのような傾斜角度で形成されていると、ルアー１０の水中での動きにおいて棒状体１１の前後端部が後述する突起部１３の存在と相まって細かく振れることになる。この棒状体１１の両傾斜面１２ａ、１２ｂの先端部にはそれぞれ貫通穴１４、１５が形成されている。
【００１２】
図示の例において、前端部側の傾斜面１２ａに形成された貫通穴１４にはラインがスプリットリング（いずれも図示せず）などを介して繋がれる。また、後端部側の貫通穴１５には図示されているようにフック１６がスプリットリング１７を介して取り付けられる。ただし、ルアー１０は、貫通穴１４にフック１６を取り付け、貫通穴１５にラインを取り付けて使用してもよい。
【００１３】
図１及び図３に示されるように、前端部側の傾斜面１２ａを斜め上方に向け、かつ後端部側の傾斜面１２ｂを斜め下方に向くようにほぼ水平に置いた時に下側となる周面部には、棒状体１１の全長Ｌを二等分する中心点（図３において、この二等分中心点を通り、棒状体１１の中心線１１ａに直交する二等分線を符号１８で示す）より前端部側に偏位した部位に突起部１３が垂直方向、即ち棒状体１１の径方向外方に突出して形成されている。
【００１４】
棒状体１１の周面部から突出する突起部１３は、ルアー１０の重量と全体の重量バランスとを調整する錘として機能すると共にルアー１０がラインによって引き寄せられたり又は水の流れよって相対的に水中を動く時にルアー１０の周囲を相対的に流れて行く水に対して抵抗となったり渦流を起こさせたりする機能を併せ持っている。このような機能を有する突起部１１は、円柱状部材で形成され、その先端部１３ａはほぼ半球状とされている。
【００１５】
この突起部１３を棒状体１１の周面部に取り付ける場合には、棒状体１１における所定の部位から径方向内方へ向かって穴を開け、この穴に接着剤を充填した後に突起部１３の基端（先端部１３ａとは反対側の端部）を差し込んで固着することができる。
【００１６】
なお、棒状体１１への突起部１３の取付け構造は、本発明の要旨ではなく、前述した取付け構造以外にも、棒状体１１の周面部から径方向内方へ開けた穴に突起部１３の基端を圧入して取付ける構造、棒状体１１の周面部から径方向内方へ開けた穴をねじ穴とし、突起部１３の基端外周にねじを形成して棒状体１１のねじ穴に螺合して取付ける構造など周知の種々の構造を採用することができる。
【００１７】
このルアー１０を使用する場合には、棒状体１１における前端部側の傾斜面１２ａに形成された貫通穴１４にスプリットリングなどを介してラインを繋ぎ、水中に投げ入れる。次いで、ラインを引くと、ルアー１０は、突起部１３がルアー１０の重量と全体の重量バランスとを調整する錘としての機能を有することから、棒状体１１は図３に示されるように下側周面部が下方向に向いてほぼ水平となり、ルアー１０はこの状態で水中を移動する。
【００１８】
その時、ルアー１０の前方から後方へ相対的に流れる水が、棒状体１１の上方斜めに向いた前方傾斜面１２ａにぶつかって抵抗となるため、棒状体１１には水中に潜ろうとする力が働き、この力と棒状体１１がラインにより引き上げられる力とがバランスして水平状態を維持する。この時、棒状体１１の周面から突出した突起部１３にはルアー１０の前方から後方へ相対的に流れる水がぶつかって抵抗となると共にこの突起部１３の周囲を回り込むように流れる。
【００１９】
このようにルアー１０の周囲を前端部側から後端部側へ向かう水の複雑な流れによってルアー１０は、突起部１３を中心として前端部及び後端部が激しく且つ細かく振れる。この結果、魚が水生生物と見間違えて食い付くことになる。
【００２０】
このルアー１０では、棒状体１１をアルミニウムやプラスチックで形成することができ、また突起部１３は棒状体１１よりも比重が大きい真鍮等の金属で形成することがよい。また、このルアー１０は、大きなサイズの魚に対して使用することを考慮して棒状体１１の全長Ｌが２０〜２５０ミリ、直径が３〜２５ミリの大きさで形成することが好ましい。
【００２１】
このルアー１０では、断面円形の棒状体１１を用いたが、本発明はこのような断面形状に限定されるものではなく、断面が三角形や四角形等の多角形であってもよい。
【００２２】
【発明の効果】
本発明のルアーによれば、ほぼ一様な太さの棒状体における両端部の各端面を互いに平行な傾斜面とし、この棒状体の全長の二等分中心点から一方の端部側に偏位した部位に突起部を取り付けたことにより、水中で微小な動きを連続して起こさせて対象魚に興味を引かせることができ、その結果このルアーを使用した場合には多くの釣果を期待することができる。
【図面の簡単な説明】
【図１】本発明のルアーを示す斜視図である。
【図２】図１に示すルアーの下面図である。
【図３】図１に示すルアーの両端を部分的に破断して示す側面図である。
【符号の説明】
１０  ルアー
１１  棒状体
１２ａ、１２ｂ  傾斜面
１３  突起部
１４、１５  貫通穴
１６  フック
１７  スプリットリング
【図１】
0003691799.tif 000002
【図２】
0003691799.tif 000003
【図３】
0003691799.tif 000004